(57)【要約】【課題】  統一されたデザインのウェブページを効率的に更新できるウェブページ管理方法及びウェブページ管理プログラムを提供する。【解決手段】  公開サーバ２０の管理コンピュータ２１は、公開希望者端末３１から受信した掲載情報と公開日時に関するデータを含む公開データを公開データ記憶部２４に記録する。そして、管理コンピュータ２１は、公開時期に、その公開データの掲載情報とテンプレートとを用いてＨＴＭＬファイルを生成して、ＨＴＭＬファイル記憶部２２に記録する。【選択図】      図１
2005182160.tif 000002
【特許請求の範囲】
【請求項１】
ウェブページによる情報の公開を希望する公開希望者が使用する公開希望者端末にネットワークを介して接続可能な管理コンピュータと、ウェブページデータを作成するためのテンプレートを記録するテンプレートデータ記憶手段と、掲載情報を記録する掲載情報記憶手段と、公開時期を記録する公開時期記憶手段と、ネットワークを介して公開するウェブページについてのウェブページデータを記録するウェブページ記憶手段とを用いて、ウェブページの公開管理を行う方法であって、
前記管理コンピュータが、
前記公開希望者端末から受信した掲載情報を前記掲載情報記憶手段に記録する第１の段階と、
前記公開希望者端末から受信した公開時期を前記掲載情報と関連付けて前記公開時期記憶手段に記録する第２の段階と、
前記公開時期に、この公開時期に関連付けられた前記掲載情報と前記テンプレートとを用いてウェブページデータを生成して、前記ウェブページ記憶手段に記録する第３の段階と
を備えたことを特徴とするウェブページ管理方法。
【請求項２】
前記第３の段階は、
前記ウェブページ記憶手段に記録された既存のウェブページデータに前記掲載情報に基づく情報を追加したウェブページデータを生成し記録することにより、前記ウェブページ記憶手段を更新することを特徴とする請求項１に記載のウェブページ管理方法。
【請求項３】
前記第３の段階は、
前記掲載情報と前記テンプレートとを用いて新規のウェブページデータを生成して前記ウェブページ記憶手段に記録し、
前記ウェブページ記憶手段に記録された既存のウェブページデータに前記掲載情報に基づく情報と、前記新規のウェブページへのリンク手段を追加したウェブページデータを生成し記録することにより、前記ウェブページ記憶手段を更新する
ことを特徴とする請求項１に記載のウェブページ管理方法。
【請求項４】
前記ウェブページ管理方法において、前記管理コンピュータは、公開の停止時期を記録する停止時期記憶手段にさらに接続され、
前記管理コンピュータが、
前記公開希望者端末から受信した公開の停止時期を前記掲載情報と関連付けて前記停止時期記憶手段に記録する段階と、
前記停止時期に、この停止時期に関連付けられた掲載情報の公開を停止する停止段階とをさらに備えたことを特徴とする請求項１〜３のいずれか１つに記載のウェブページ管理方法。
【請求項５】
前記停止段階は、
前記ウェブページ記憶手段に記憶されたウェブページデータから前記掲載情報に基づく項目を削除したウェブページデータを生成し記録することにより前記ウェブページ記憶手段を更新することを特徴とする請求項４に記載のウェブページ管理方法。
【請求項６】
前記ウェブページデータから削除する前記掲載情報に基づく項目は、前記掲載情報に基づく下位のウェブページへのリンク手段を備え、
前記停止段階は、
前記リンク手段を削除し、
前記下位のウェブページを削除することを特徴とすることを特徴とする請求項５に記載
のウェブページ管理方法。
【請求項７】
前記管理コンピュータは、掲載情報の公開を承認する公開承認者が使用する公開承認者端末にさらに接続され、
前記ウェブページ管理方法は、
前記管理コンピュータが、
前記掲載情報と前記テンプレートとを用いて表示画面を作成して公開承認者端末に送信し、承認入力を促す段階と、
承認された場合に、承認情報を前記掲載情報に関連付けて記憶する段階と
をさらに備え、
前記第３の段階は、
前記承認情報が記録されている場合に、前記掲載情報と前記テンプレートとを用いてウェブページデータを生成して、前記ウェブページ記憶手段に記録することを特徴とする請求項１〜６のいずれか１つに記載のウェブページ管理方法。
【請求項８】
ウェブページによる情報の公開を希望する公開希望者が使用する公開希望者端末にネットワークを介して接続可能な管理コンピュータと、ウェブページデータを作成するためのテンプレートを記録するテンプレートデータ記憶手段と、掲載情報を記録する掲載情報記憶手段と、公開時期を記録する公開時期記憶手段と、ネットワークを介して公開するウェブページについてのウェブページデータを記録するウェブページ記憶手段とを用いて、ウェブページの公開管理を行うためのウェブページ管理プログラムであって、
前記管理コンピュータを、
前記公開希望者端末から受信した掲載情報を前記掲載情報記憶手段に記録する第１の手段と、
前記公開希望者端末から受信した公開時期を前記掲載情報と関連付けて前記公開時期記憶手段に記録する第２の手段と、
前記公開時期に、この公開時期に関連付けられた前記掲載情報と前記テンプレートとを用いてウェブページデータを生成して、前記ウェブページ記憶手段に記録する第３の手段として機能させるためのウェブページ管理プログラム。
【請求項９】
前記第３の手段を、
前記ウェブページ記憶手段に記録された既存のウェブページデータに前記掲載情報に基づく情報を追加したウェブページデータを生成し記録することにより、前記ウェブページ記憶手段を更新する手段として機能させることを特徴とする請求項８に記載のウェブページ管理プログラム。
【請求項１０】
前記第３の手段を、
前記掲載情報と前記テンプレートとを用いて新規のウェブページデータを生成して前記ウェブページ記憶手段に記録する手段と、
前記ウェブページ記憶手段に記録された既存のウェブページデータに前記掲載情報に基づく情報と、前記新規のウェブページへのリンク手段を追加したウェブページデータを生成し記録することにより、前記ウェブページ記憶手段を更新する手段
として機能させることを特徴とする請求項８に記載のウェブページ管理プログラム。
【請求項１１】
前記管理コンピュータは、公開の停止時期を記録する停止時期記憶手段にさらに接続され、
前記管理コンピュータを、
前記公開希望者端末から受信した公開の停止時期を前記掲載情報と関連付けて前記停止時期記憶手段に記録する手段と、
前記停止時期に、この停止時期に関連付けられた掲載情報の公開を停止する停止手段
として機能させることを特徴とする請求項８〜１０のいずれか１つに記載のウェブページ管理プログラム。
【請求項１２】
前記停止手段を、
前記ウェブページ記憶手段に記憶されたウェブページデータから前記掲載情報に基づく項目を削除したウェブページデータを生成し記録することにより前記ウェブページ記憶手段を更新する手段として機能させることを特徴とする請求項１１に記載のウェブページ管理プログラム。
【請求項１３】
前記ウェブページデータから削除する前記掲載情報に基づく項目は、前記掲載情報に基づく下位のウェブページへのリンク手段を備え、
前記停止手段を、
前記リンク手段を削除する手段と、
前記下位のウェブページを削除する手段として機能させることを特徴とする請求項１２に記載のウェブページ管理プログラム。
【請求項１４】
前記管理コンピュータは、掲載情報の公開を承認する公開承認者が使用する公開承認者端末にさらに接続され、
前記管理コンピュータを、さらに、
前記掲載情報と前記テンプレートとを用いて表示画面を作成して公開承認者端末に送信し、承認入力を促す手段と、
承認された場合に、承認情報を前記掲載情報に関連付けて記憶する手段
として機能させ、
前記第３の手段を、
前記承認情報が記録されている場合に、前記掲載情報と前記テンプレートとを用いてウェブページデータを生成して、前記ウェブページ記憶手段に記録する手段として機能させることを特徴とする請求項８〜１３のいずれか１つに記載のウェブページ管理プログラム。
【発明の詳細な説明】
【技術分野】
【０００１】
本発明は、ウェブページを自動的に更新するウェブページ管理方法及びウェブページ管理プログラムに関する。
【背景技術】
【０００２】
近年、ウェブページ作成のためのソフトウェアが普及し、自分でウェブページを作成することが可能となってきている。
しかし、このようなソフトウエアを用いても、ある程度、慣れないと簡単にウェブページを作することはできない。また、企業等のウェブページにおいては、ウェブページ全体として統一感があるデザインを維持することが希望され、そのようなウェブページが作成されている。
【０００３】
一方、作成したウェブページのリリースは、表示イメージや内容を確認するために、テストサーバを用いて動作確認をしてから行うのが一般的である。また、リリース時期を予約しておき、予約された時期に自動的に公開するためのシステムが開示されている（例えば、特許文献１参照。）。
【特許文献１】特開２００３−１６２４７８号公報（第３−５頁）
【発明の開示】
【発明が解決しようとする課題】
【０００４】
しかし、複数の者がウェブページの作成やメンテナンスに関わる場合、ウェブページ全体として統一のとれたデザインを維持するのは困難である。また、ウェブページ全体として統一のとれたデザインを維持できる場合でも、そのためのコストや時間が多大となる場合がある。また、テストサーバで確認した後、実際に公開するためのサーバに移行する場合、多くの手順が必要となる。
【０００５】
本発明は、上記問題点を解決するためになされたものであり、その目的は、ウェブページを作成するための専門的な知識がなくても、統一されたデザインのウェブページを効率的に更新できるウェブページ管理方法及びウェブページ管理プログラムを提供することにある。
【課題を解決するための手段】
【０００６】
上記問題点を解決するために、請求項１に記載の発明は、ウェブページによる情報の公開を希望する公開希望者が使用する公開希望者端末にネットワークを介して接続可能な管理コンピュータと、ウェブページデータを作成するためのテンプレートを記録するテンプレートデータ記憶手段と、掲載情報を記録する掲載情報記憶手段と、公開時期を記録する公開時期記憶手段と、ネットワークを介して公開するウェブページについてのウェブページデータを記録するウェブページ記憶手段とを用いて、ウェブページの公開管理を行う方法であって、前記管理コンピュータが、前記公開希望者端末から受信した掲載情報を前記掲載情報記憶手段に記録する第１の段階と、前記公開希望者端末から受信した公開時期を前記掲載情報と関連付けて前記公開時期記憶手段に記録する第２の段階と、前記公開時期に、この公開時期に関連付けられた前記掲載情報と前記テンプレートとを用いてウェブページデータを生成して、前記ウェブページ記憶手段に記録する第３の段階とを備えたことを要旨とする。
【０００７】
請求項２に記載の発明は、請求項１に記載のウェブページ管理方法において、前記第３の段階は、前記ウェブページ記憶手段に記録された既存のウェブページデータに前記掲載
情報に基づく情報を追加したウェブページデータを生成し記録することにより、前記ウェブページ記憶手段を更新することを要旨とする。
【０００８】
請求項３に記載の発明は、請求項１に記載のウェブページ管理方法において、前記第３の段階は、前記掲載情報と前記テンプレートとを用いて新規のウェブページデータを生成して前記ウェブページ記憶手段に記録し、前記ウェブページ記憶手段に記録された既存のウェブページデータに前記掲載情報に基づく情報と、前記新規のウェブページへのリンク手段を追加したウェブページデータを生成し記録することにより、前記ウェブページ記憶手段を更新することを要旨とする。
【０００９】
請求項４に記載の発明は、請求項１〜３のいずれか１つに記載のウェブページ管理方法において、前記ウェブページ管理方法において、前記管理コンピュータは、公開の停止時期を記録する停止時期記憶手段にさらに接続され、前記管理コンピュータが、前記公開希望者端末から受信した公開の停止時期を前記掲載情報と関連付けて前記停止時期記憶手段に記録する段階と、前記停止時期に、この停止時期に関連付けられた掲載情報の公開を停止する停止段階とをさらに備えたことを要旨とする。
【００１０】
請求項５に記載の発明は、請求項４に記載のウェブページ管理方法において、前記停止段階は、前記ウェブページ記憶手段に記憶されたウェブページデータから前記掲載情報に基づく項目を削除したウェブページデータを生成し記録することにより前記ウェブページ記憶手段を更新することを要旨とする。
【００１１】
請求項６に記載の発明は、請求項５に記載のウェブページ管理方法において、前記ウェブページデータから削除する前記掲載情報に基づく項目は、前記掲載情報に基づく下位のウェブページへのリンク手段を備え、前記停止段階は、前記リンク手段を削除し、前記下位のウェブページを削除することを要旨とする。
【００１２】
請求項７に記載の発明は、請求項１〜６のいずれか１つに記載のウェブページ管理方法において、前記管理コンピュータは、掲載情報の公開を承認する公開承認者が使用する公開承認者端末にさらに接続され、前記ウェブページ管理方法は、前記管理コンピュータが、前記掲載情報と前記テンプレートとを用いて表示画面を作成して公開承認者端末に送信し、承認入力を促す段階と、承認された場合に、承認情報を前記掲載情報に関連付けて記憶する段階とをさらに備え、前記第３の段階は、前記承認情報が記録されている場合に、前記掲載情報と前記テンプレートとを用いてウェブページデータを生成して、前記ウェブページ記憶手段に記録することを要旨とする。
【００１３】
請求項８に記載の発明は、ウェブページによる情報の公開を希望する公開希望者が使用する公開希望者端末にネットワークを介して接続可能な管理コンピュータと、ウェブページデータを作成するためのテンプレートを記録するテンプレートデータ記憶手段と、掲載情報を記録する掲載情報記憶手段と、公開時期を記録する公開時期記憶手段と、ネットワークを介して公開するウェブページについてのウェブページデータを記録するウェブページ記憶手段とを用いて、ウェブページの公開管理を行うためのウェブページ管理プログラムであって、前記管理コンピュータを、前記公開希望者端末から受信した掲載情報を前記掲載情報記憶手段に記録する第１の手段と、前記公開希望者端末から受信した公開時期を前記掲載情報と関連付けて前記公開時期記憶手段に記録する第２の手段と、前記公開時期に、この公開時期に関連付けられた前記掲載情報と前記テンプレートとを用いてウェブページデータを生成して、前記ウェブページ記憶手段に記録する第３の手段として機能させることを要旨とする。
【００１４】
請求項９に記載の発明は、請求項８に記載のウェブページ管理プログラムにおいて、前
記第３の手段を、前記ウェブページ記憶手段に記録された既存のウェブページデータに前記掲載情報に基づく情報を追加したウェブページデータを生成し記録することにより、前記ウェブページ記憶手段を更新する手段として機能させることを要旨とする。
【００１５】
請求項１０に記載の発明は、請求項８に記載のウェブページ管理プログラムにおいて、前記第３の手段を、前記掲載情報と前記テンプレートとを用いて新規のウェブページデータを生成して前記ウェブページ記憶手段に記録する手段と、前記ウェブページ記憶手段に記録された既存のウェブページデータに前記掲載情報に基づく情報と、前記新規のウェブページへのリンク手段を追加したウェブページデータを生成し記録することにより、前記ウェブページ記憶手段を更新する手段として機能させることを要旨とする。
【００１６】
請求項１１に記載の発明は、請求項８〜１０のいずれか１つに記載のウェブページ管理プログラムにおいて、前記管理コンピュータは、公開の停止時期を記録する停止時期記憶手段にさらに接続され、前記管理コンピュータを、前記公開希望者端末から受信した公開の停止時期を前記掲載情報と関連付けて前記停止時期記憶手段に記録する手段と、前記停止時期に、この停止時期に関連付けられた掲載情報の公開を停止する停止手段として機能させることを要旨とする。
【００１７】
請求項１２に記載の発明は、請求項１１に記載のウェブページ管理プログラムにおいて、前記停止手段を、前記ウェブページ記憶手段に記憶されたウェブページデータから前記掲載情報に基づく項目を削除したウェブページデータを生成し記録することにより前記ウェブページ記憶手段を更新する手段として機能させることを要旨とする。
【００１８】
請求項１３に記載の発明は、請求項１２に記載のウェブページ管理プログラムにおいて、前記ウェブページデータから削除する前記掲載情報に基づく項目は、前記掲載情報に基づく下位のウェブページへのリンク手段を備え、前記停止手段を、前記リンク手段を削除する手段と、前記下位のウェブページを削除する手段として機能させることを要旨とする。
【００１９】
請求項１４に記載の発明は、請求項８〜１３のいずれか１つに記載のウェブページ管理プログラムにおいて、前記管理コンピュータは、掲載情報の公開を承認する公開承認者が使用する公開承認者端末にさらに接続され、前記管理コンピュータを、さらに、前記掲載情報と前記テンプレートとを用いて表示画面を作成して公開承認者端末に送信し、承認入力を促す手段と、承認された場合に、承認情報を前記掲載情報に関連付けて記憶する手段として機能させ、前記第３の手段を、前記承認情報が記録されている場合に、前記掲載情報と前記テンプレートとを用いてウェブページデータを生成して、前記ウェブページ記憶手段に記録する手段として機能させることを要旨とする。
【００２０】
（作用）
請求項１又は８に記載の発明によれば、公開希望者が希望する公開時期に、ウェブページデータを自動的に作成して、公開希望者が公開を希望する掲載情報を公開できる。また、公開時期にウェブページデータを作成するため、ハードウェア資源を有効利用できる。
【００２１】
請求項２又は９に記載の発明によれば、公開希望者が希望する公開時期に、公開中のウェブページのウェブページデータを更新して公開できる。
請求項３又は１０に記載の発明によれば、公開希望者が希望する公開時期に、公開中のウェブページのウェブページデータを更新して公開できるとともに、そのウェブページからリンクするウェブページのウェブページデータを生成して公開できる。
【００２２】
請求項４又は１１に記載の発明によれば、公開の停止時期を予め設定しておき、その停
止時期に自動的に公開を停止できる。
請求項５又は１２に記載の発明によれば、予め設定した公開の停止時期に、公開中のウェブページから、公開を停止する掲載情報を削除することにより、そのウェブページのウェブページデータを更新して、停止時期となった掲載情報の公開を停止できる。
【００２３】
請求項６又は１３に記載の発明によれば、停止時期を経過したウェブページのウェブページデータを削除するため、利用者端末から閲覧できないようにすることができる。また、ウェブページデータを削除するため、ハードウェア資源を有効利用できる。
【００２４】
請求項７又は１４に記載の発明によれば、公開承認者が承認した情報のみを公開できる。従って、誤った情報を公開するのを防ぐことができる。また、承認は、公開時期以前に行えるため、承認及び公開を効率的に行うことができる。
【発明の効果】
【００２５】
本発明によれば、ウェブページを作成するための専門的な知識がなくても、統一されたデザインのウェブページを効率的に更新できる。
【発明を実施するための最良の形態】
【００２６】
以下、本発明を具体化した一実施形態を図１〜図１２に従って説明する。本実施形態では、統一されたデザインのウェブページを作成し、自動的に公開及び公開の停止を行うためのウェブページ管理方法及びウェブページ管理プログラムとして説明する。本実施形態では、企業のウェブページにおいて、その企業が開催するセミナーの案内についてのウェブページを統一されたデザインで作成し、自動的に公開及び公開の停止を行う。
【００２７】
図１に示すように、公開サーバ２０は、イントラネット３５を介して公開希望者端末３１及び公開承認者端末３２に接続されている。なお、公開サーバ２０を、インターネットを介して公開希望者端末３１及び公開承認者端末３２に接続するように構成してもよい。また、公開サーバ２０は、管理者端末４０に接続されている。さらに、公開サーバ２０は、インターネット５５を介して利用者端末５０に接続されている。
【００２８】
公開希望者端末３１は、インターネットを介して公開されるウェブページ上で情報を公開することを希望する公開希望者が使用するコンピュータ端末である。公開承認者端末３２は、公開希望者が公開を希望する情報について承認を行う公開承認者が使用するコンピュータ端末である。
【００２９】
管理者端末４０は、ウェブページを自動生成する場合に用いるテンプレートの登録を行うサイト管理者が使用するコンピュータ端末である。利用者端末５０は、インターネットを介して公開サーバ２０が公開するウェブページの情報を閲覧する利用者が使用するコンピュータ端末である。
【００３０】
これらの端末３１，３２，４０，５０は、ネットワークを介してデータを送信する機能や、受信したデータを表示する機能等を有する。これらの端末３１，３２，４０，５０は、図示しないＣＰＵ、ＲＡＭ、ＲＯＭの他、キーボード、マウス等の入力手段、ディスプレイ等の出力手段、モデム等の通信手段等を有する。
【００３１】
公開サーバ２０は、ウェブページの自動作成のための各種データの管理及び各種データの提供等の各種データ処理を行う。この公開サーバ２０は、管理コンピュータ２１を備えている。
【００３２】
この管理コンピュータ２１は、端末３１，３２，４０，５０との間でのデータ送受信や
、各種情報の管理を実行するためのデータの管理処理等を行う。この管理コンピュータ２１は、図示しないＣＰＵ、ＲＡＭ、ＲＯＭ等を有し、後述する処理（第１の段階、第２の段階、第３の段階、停止段階等を含む処理）を行う。そのためのウェブページ管理プログラムを実行することにより、管理コンピュータ２１は、第１の手段、第２の手段、第３の手段、停止手段等として機能する。
【００３３】
管理コンピュータ２１は、ウェブページ記憶手段としてのＨＴＭＬファイル記憶部２２と、テンプレートデータ記憶手段としてのテンプレートデータ記憶部２３と、掲載情報記憶手段、公開時期記憶手段及び停止時期記憶手段としての公開データ記憶部２４とに接続されている。
【００３４】
ＨＴＭＬファイル記憶部２２には、インターネット５５を介して利用者端末５０に送信可能なウェブページのウェブページデータとしてのＨＴＭＬファイルが記録されている。このＨＴＭＬファイルは、公開日時に達した場合に作成されて記録され、停止日時に達した場合に削除される。また、公開日時又は停止日時に達した場合に、対象となる掲載情報が一部に記載されているウェブページについて、ＨＴＭＬファイルが更新される。
【００３５】
テンプレートデータ記憶部２３には、ウェブページを作成するためのテンプレートに関するテンプレートデータが記録される。このテンプレートデータは、管理者端末４０からファイル転送された場合に記録される。
【００３６】
公開データ記憶部２４には、図２に示すように、公開対象のテーマ毎に、公開する情報に関する公開データ２４０が記録されている。この公開データ２４０は、公開希望者端末３１から、公開希望の事項についての公開情報を受信した場合に記録される。公開データ２４０は、ソートコード、テンプレート名、文字情報（１）〜（ｍ）、イメージファイル情報（１）〜（ｎ）、公開日時、停止日時、付属情報及び公開承認フラグに関するデータを含んで構成されている。
【００３７】
ソートコードデータ領域には、公開する情報を特定するための識別子としてのソートコードに関するデータが記録される。
テンプレート名データ領域には、ウェブページの作成に使用するテンプレートを特定するための識別子としてのテンプレート名に関するデータが記録される。１つの公開データ２４０に対して複数のウェブページを作成する場合は、複数のテンプレート名が記録される。
【００３８】
文字情報データ領域には、ウェブページ上で表示する文字に関するデータがそれぞれ記録される。この文字情報データ領域は、複数設けられており（本実施形態では１〜ｍ）、ウェブページ上の異なる表示領域に表示する文字に関するデータが、その表示領域に対応づけて、各文字情報データ領域に記録される。例えば、文字情報（１）には、セミナー名に関するデータが記録される。
【００３９】
イメージファイル情報データ領域には、ウェブページ上で表示するイメージに関するイメージファイルの格納場所とファイル名が記録される。このイメージファイル情報データ領域は、複数（ｎ個）設けられており、ウェブページ上の異なる表示領域に表示するイメージに関するデータが、その表示領域に対応づけて、各イメージファイル情報データ領域に記録される。例えば、イメージファイル情報（１）には、セミナー名に対応して表示するイメージがあれば、そのイメージを表示するためのイメージファイルの格納場所とファイル名が記録される。
【００４０】
公開日時データ領域には、情報をウェブページ上で公開する公開時期としての公開日時
に関するデータが記録される。
停止日時データ領域には、情報の公開を停止する停止時期としての停止日時に関するデータが記録される。
【００４１】
付属情報データ領域には、各テンプレートについて特有の付属情報に関するデータが記録される。この付属情報データ領域は、複数の領域に分けられており、テンプレートによって異なる項目に関するデータが付属情報として記録される。この付属情報データ領域には、ウェブページ上の異なる表示領域に表示する付属情報に関するデータが、その表示領域に対応づけて、それぞれ記録される。
【００４２】
公開承認フラグデータ領域には、公開についての公開承認者により承認された場合に、公開承認フラグが記録される。
さらに、管理コンピュータ２１は、認証データ記憶部に接続されている。この認証データ記憶部には、テンプレート名、パスワード及び権限に関する認証データが、テンプレート名及び権限毎に記録されている。権限としては、各テンプレートについて入力権限及び承認権限のいずれかが記録される。入力権限が設定されている場合、公開データの登録を行い、公開承認者に承認要求を行うことができる。承認権限が設定されている場合、公開データについての承認及び修正をすることができる。
【００４３】
上記のように構成されたシステムにおいて、予め設定した公開日時に情報を公開し、停止日時に情報の公開を停止する場合の処理手順を図３〜図１２を用いて説明する。ここでは、公開データの登録・公開段階（図３）と、予約公開段階（図５）と、停止段階（図６）と、公開管理段階とに分けて説明する。
【００４４】
（登録・公開段階）
まず、公開データの登録・公開段階の処理について、図３に従って説明する。
図３に示すように、まず、公開希望者は、公開希望者端末３１を用いて公開サーバ２０にアクセスする。そして、公開希望者端末３１は、公開サーバ２０との間で、ユーザ認証処理（ステップＳ１−１）及びテンプレート選択処理（ステップＳ１−２）を行う。具体的には、公開希望者は、公開サーバ２０から送信されたログイン画面において、テンプレートの選択とパスワードの入力とを行って、ログイン要求を行う。ここでは、「セミナー」についてのテンプレートを選択する。公開希望者端末３１は、選択されたテンプレートについてのテンプレート名とパスワードとを公開サーバ２０に送信する。公開サーバ２０の管理コンピュータ２１は、受信したテンプレート名及びパスワードと、認証データ記憶手段に記憶されたテンプレート名及びパスワードと照合することにより、ユーザ認証を行う。ここでは、セミナー情報についての入力権限を有することが特定される。
【００４５】
公開希望者が認証された場合、公開サーバ２０は、選択されたテンプレートに対応する入力画面を公開希望者端末３１に送信する（ステップＳ１−３）。ここでは、テンプレート名として「セミナー」が選択されているため、公開サーバ２０は、セミナー情報に関するテンプレートに対応する入力画面を公開希望者端末３１に送信する。
【００４６】
この入力画面を受信した公開希望者端末３１のディスプレイには、選択されたテンプレートに対応して入力を行うための表示画面が表示される。ここでは、セミナー情報に関する入力画面として、図７に示す表示画面６０が表示される。
【００４７】
この表示画面６０には、掲載情報入力欄６１、及び、公開日時及び停止日時に関する予約情報入力欄６２が設けられている。さらに、この表示画面６０には、リセットボタン６３、確認ボタン６４及び一時保存ボタン６５が設けられている。リセットボタン６３は、入力内容をリセットする場合に用いられる。確認ボタン６４は、確認画面に移る場合に用
いられる。一時保存ボタン６５は、入力されたデータを一時保存する場合に用いられる。
【００４８】
まず、公開希望者は、公開希望者端末３１を用いて、掲載情報入力欄６１ａ〜６１ｎの各入力ボックスに掲載内容を入力する（ステップＳ１−４）。ここで、ページタイプ６１ａにおいて「自動生成」が選択されている場合、後述する処理に従ってＨＴＭＬファイルの自動生成が行われる。ページタイプ６１ａにおいて「リンクのみ」が選択されている場合、既存の案内ページ及び既存の申込画面へのリンクを表示するように、一覧画面のＨＴＭＬファイルが更新される。
【００４９】
さらに、６０には、ページタイプ６１ａに、ソートコード６１ｂ、セミナー名６１ｃ、サブタイトル６１ｄ、会場６１ｅ、日時６１ｆ、参加料６１ｇ、募集人数６１ｈ、主催６１ｉ、共催６１ｊ、問合せ先６１ｋ、開催内容６１ｌ，６１ｍ、特典・特記事項等６１ｎに関する入力欄が設けられている。
【００５０】
次に、公開希望者は、公開希望者端末３１を用いて、予約情報入力欄６２の各入力ボックスに公開日時及び停止日時を入力する（ステップＳ１−５）。ここで、公開日時が入力されない場合、即座に公開される。また、停止日時が入力されていない場合、開催日の午後１２時に公開が停止される。
【００５１】
そして、公開希望者は、公開希望者端末３１を用いて、公開内容の確認を行う。具体的には、まず、公開希望者は、表示画面６０において確認ボタン６４を用いて確認画面の表示要求を行う。これにより、公開希望者端末３１は、確認画面の表示要求を公開サーバ２０に送信し、公開サーバ２０との間で公開情報確認処理を行う（ステップＳ１−６）。
【００５２】
確認画面の表示要求を受信した公開サーバ２０は、確認画面を公開希望者端末３１に送信する。この確認画面を受信した公開希望者端末３１のディスプレイには、選択されたテンプレートに入力された項目が設定された確認画面が表示される。ここでは、セミナー情報に関して、入力された項目についての確認画面として、図８に示す表示画面７０が表示される。
【００５３】
この表示画面７０には、掲載情報確認表示欄７１、及び、公開日時及び停止日時に関する予約情報確認表示欄７２が設けられている。さらに、この表示画面７０には、修正ボタン７３、プレビューボタン７４、一覧プレビューボタン７５、承認依頼ボタン７６及び承認ボタン７７が設けられている。
【００５４】
掲載情報確認表示欄７１の各項目は、表示画面６０の掲載情報入力欄６１における入力データに基づいて表示される。具体的には、ページタイプ７１ａ〜特典・特記事項等７１ｎは、それぞれページタイプ６１ａ〜特典・特記事項等６１ｎに対応する。
【００５５】
修正ボタン７３は、表示画面６０に戻って修正入力を行う場合に用いられる。プレビューボタン７４は、公開するウェブページである概要画面を表示する場合に用いられる。一覧プレビューボタン７５は、公開されている一覧画面の表示内容に今回の公開情報を追加した一覧画面を表示する場合に用いられる。承認依頼ボタン７６は、公開承認者端末３２に承認依頼を通知する場合に用いられる。承認ボタン７７は、公開承認者が承認を行う場合に用いられる。
【００５６】
公開希望者は、掲載情報確認表示欄７１により掲載内容を確認する。さらに、公開希望者は、予約情報確認表示欄７２により公開日時及び停止日時を確認する。
公開希望者がプレビューボタン７４をクリックすると、公開希望者端末３１は、概要画面の表示要求を公開サーバ２０に送信する。これを受信した公開サーバ２０は、概要画面
についての確認画面を公開希望者端末３１に送信する。
【００５７】
概要画面についての確認画面を受信した公開希望者端末３１のディスプレイには、選択されたテンプレート及び入力された掲載情報に対応する概要画面についての確認画面が表示される。ここでは、図９に示す表示画面８０が表示される。
【００５８】
この表示画面８０には、タイトル表示欄８１、開催要領表示欄８２、開催内容表示欄８３、セミナー内容表示欄８４及び特典・特記事項等表示欄８５が設けられている。
タイトル表示欄８１、開催要領表示欄８２、開催内容表示欄８３、セミナー内容表示欄８４及び特典・特記事項等表示欄８５の各項目は、表示画面６０の掲載情報入力欄６１における入力データに基づいて表示される。具体的には、タイトル表示欄８１のセミナー名、サブタイトル、主催及び共催は、セミナー名６１ｃ、サブタイトル６１ｄ、主催６１ｉ及び共催６１ｊにそれぞれ基づく。開催要領表示欄８２の会場８２ａは会場６１ｅに基づき、会場名に加えて住所が検索されて表示される。日時８２ｂは日時６１ｆに基づく。参加料８２ｃは参加料６１ｇに基づく。募集人数８２ｄは募集人数６１ｈに基づく。問合せ先８２ｅは問合せ先６１ｋに基づく。開催内容表示欄８３の開催内容８３ａ，８３ｂは、開催内容６１ｌ，６１ｍに基づく。特典・特記事項等表示欄８５の表示は、特典・特記事項等６１ｎに基づく。
【００５９】
開催要領表示欄８２の会場８２ａには、会場周辺の地図を表示する地図表示画面にリンクする地図ボタン８７が設けられている。地図ボタン８７がクリックされると、既存の地図表示画面が表示される。
【００６０】
開催要領表示欄８２の申込方法には、申込画面へのリンク８６が設けられている。リンク８６がクリックされると、図１０に示す表示画面（申込画面）９０が表示される。この表示画面９０には、セミナー名等表示欄９１、出席情報入力欄９２、申込情報入力欄９３、リセットボタン９４及び確認ボタン９５が設けられている。なお、リンク８６では、本実施形態では、ＰＨＰ言語によるＣＧＩを用いている。これは、他の言語・方法でも代用できるものがあれば、この限りではない。
【００６１】
表示画面７０の一覧プレビューボタン７５がクリックされると、公開希望者端末３１は、一覧画面の表示要求を公開サーバ２０に送信する。これを受信した公開サーバ２０は、公開中の一覧画面に今回の掲載情報を追加した一覧画面についての確認画面を生成して公開希望者端末３１に送信する。
【００６２】
一覧画面についての確認画面を受信した公開希望者端末３１のディスプレイには、選択されたテンプレート及び入力された掲載情報に対応する一覧画面についての確認画面が表示される。ここでは、図１１に示す表示画面１００が表示される。
【００６３】
この表示画面１００には、セミナー及びスクールに関する一覧情報が表示される。セミナーについては、セミナー一覧表示欄１０１が設けられている。セミナー一覧表示欄１０１には、公開対象のセミナーが、開催日が早い順にソートされて表示される。なお、セミナー一覧表示欄１０１に表示される各セミナーについては、開催場所１０１ａ、セミナー名１０１ｂ及び開催期間１０１ｃの表示と、地図表示ボタン１０２及び申込ボタン１０３とが設けられている。なお、申込ボタン１０３においても、上記リンク８６と同様に、ＰＨＰ言語によるＣＧＩを用いている。これは、他の言語・方法でも代用できるものがあれば、この限りではない。
【００６４】
開催場所１０１ａとしては、会場６１ｅがある地域の地域名が表示される。セミナー名１０１ｂは、セミナー名６１ｃ及びサブタイトル６１ｄに対応する。開催期間１０１ｃは
、日時６１ｆの日付に対応する。
【００６５】
セミナー名１０１ｂには、リンク手段が設けられており、概要画面にリンクしている。地図表示ボタン１０２は開催場所の地図の表示画面にリンクしている。申込ボタン１０３は申込画面にリンクしている。従って、今回、公開情報を登録しようとしているセミナーについて、セミナー名をクリックすると、表示画面８０が表示される。また、申込ボタン１０３をクリックすると、表示画面９０が表示される。また、今回、公開情報を登録しようとしているセミナーについて、地図表示ボタン１０２をクリックすると、入力した会場の地図画面が表示される。
【００６６】
公開希望者は、公開情報を確認すると、公開希望者端末３１を用いて、表示画面７０において承認依頼ボタン７６を用いて承認依頼を行う。これにより、公開希望者端末３１は、承認要求を公開サーバ２０に送信する。この承認要求を受信すると、公開サーバ２０は、公開希望者端末３１を用いて入力された情報に基づく公開データを公開データ記憶部２４に記録する（ステップＳ１−７）。
【００６７】
具体的には、選択されたテンプレートのテンプレート名が、公開データ２４０のテンプレート名として記録される。また、表示画面６０におけるソートコード６１ｂの入力データが公開データ２４０のソートコードとして記録される。セミナー名６１ｃ、サブタイトル６１ｄ、会場６１ｅ、日時６１ｆ、参加料６１ｇ、募集人数６１ｈ、主催６１ｉ、共催６１ｊ、問合せ先６１ｋ、開催内容６１ｌ，６１ｍ、特典・特記事項等６１ｎの各入力データが、公開データ２４０の文字情報（１）〜（ｍ）としてそれぞれ記録される。予約情報入力欄６２で入力された公開日時及び停止日時に関するデータが、公開データ２４０の公開日時及び停止日時としてそれぞれ記録される。
【００６８】
さらに、会場６１ｅの入力データに基づいて検索された開催場所１０１ａに対応する地域名、及び、会場８２ａのかっこ書きに対応する住所が、公開データ２４０の付属情報として、それぞれ記録される。また、開催期間１０１ｃに対応する期間が、公開データ２４０の付属情報として記録される。
【００６９】
そして、公開サーバ２０は、承認依頼のための電子メール（承認依頼メール）を生成して公開承認者端末３２に送信する（ステップＳ１−８）。
この承認依頼メールを確認すると、公開承認者は、テンプレート名及びパスワードを用いて公開承認者端末３２により公開サーバ２０にアクセスし、ユーザ認証処理を行う（ステップＳ１−９）。具体的には、公開承認者は、公開サーバ２０から送信されたログイン画面において、テンプレートの選択とパスワードの入力とを行って、ログイン要求を行う。公開承認者端末３２は、選択されたテンプレートについてのテンプレート名とパスワードとを公開サーバ２０に送信する。公開サーバ２０の管理コンピュータ２１は、受信したテンプレート名及びパスワードと、認証データ記憶手段に記憶されたテンプレート名及びパスワードと照合することにより、ユーザ認証を行う。ここでは、セミナー情報についての承認権限を有することが特定される。
【００７０】
そして、公開承認者は、公開承認者端末３２を用いて、公開サーバ２０との間で承認処理を行う（ステップＳ１−１０）。具体的には、公開承認者は、まず、公開承認者端末３２により表示画面７０の表示要求を行う。そして、公開承認者は、表示画面７０、表示画面８０、表示画面９０及び表示画面１００の確認を行う。そして、公開承認者は、必要な場合には、修正ボタン７３を用いて表示画面６０を表示させ、修正入力を行う。そして、登録された内容で公開することを承認する場合、公開承認者は、承認ボタン７７を用いて、承認入力を行う。
【００７１】
承認入力が行われた場合（ステップＳ１−１１でＹＥＳの場合）、公開サーバ２０は、公開承認フラグを公開データ記憶部２４に記録する（ステップＳ１−１２）。次に、公開サーバ２０は、公開日時が指定されているかどうかを調べる。公開日時が指定されていない場合（ステップＳ１−１３でＮＯの場合）、公開サーバ２０は、今回、公開データ記憶部２４に記録した公開データ２４０について公開処理を行う（ステップＳ１−１４）。この公開処理を、図４を用いて説明する。
【００７２】
図４に示すように、公開サーバ２０は、まず、掲載情報を抽出する（ステップＳ２−１）。具体的には、公開データ２４０のテンプレート名、文字情報（１）〜（ｍ）、イメージファイル情報（１）〜（ｎ）及び付属情報を抽出する。そして、公開サーバ２０は、情報提供画面を生成する（ステップＳ２−２）。具体的には、公開サーバ２０は、まず、テンプレート名に基づいて、テンプレートデータ記憶部２３からテンプレートデータを抽出する。そして、公開サーバ２０は、そのテンプレートに、文字情報（１）〜（ｍ）、イメージファイル情報（１）〜（ｎ）及び付属情報を設定したＨＴＭＬファイルを生成してＨＴＭＬファイル記憶部２２に記録する。ここでは、概要画面（表示画面８０）及び申込画面（表示画面９０）のＨＴＭＬファイルをそれぞれ生成し、ＨＴＭＬファイル記憶部２２に記録する。
【００７３】
次に、公開サーバ２０は、一覧画面を更新する（ステップＳ２−３）。具体的には、公開サーバ２０は、まず、テンプレート名に基づいて、一覧画面に関するテンプレートデータをテンプレートデータ記憶部２３から抽出する。そして、テンプレート名と開始日時及び終了日時とに基づいて、一覧画面において公開対象となる公開データ２４０を公開データ記憶部２４から抽出する。そして、公開サーバ２０は、テンプレートと抽出した公開データ２４０の掲載情報とに基づいて一覧画面を生成し、この一覧画面のＨＴＭＬファイルによりＨＴＭＬファイル記憶部２２を更新する。ここでは、一覧画面（表示画面１００）のＨＴＭＬファイルを更新する。これにより、今回公開するセミナー情報が一覧表示に追加された一覧画面のＨＴＭＬファイルによりＨＴＭＬファイル記憶部２２に記録されたＨＴＭＬファイルが更新される。
【００７４】
（予約公開処理）
次に、設定した公開日時に公開を行う予約公開処理について、図５を用いて説明する。
図５に示すように、公開サーバ２０は、定期的に公開データ記憶部２４を検索し、公開日時と現在日時とを照合する（ステップＳ３−１）。そして、現在時点で公開日時に達した公開データ２４０がある場合（ステップＳ３−２でＹＥＳの場合）、公開サーバ２０は、その公開データ２４０について公開承認フラグが記録されているかどうかを調べる（ステップＳ３−３）。公開承認フラグが記録されている場合（ステップＳ３−３でＹＥＳの場合）、公開サーバ２０は、公開処理を行う（ステップＳ３−４）。この公開処理は、上記の場合と同様に、図４に示す処理手順に従って行う。
【００７５】
なお、現在時点で公開日時に達した公開データ２４０がない場合（ステップＳ３−２でＮＯの場合）、公開サーバ２０は、予約公開処理を終了する。また、現在時点で公開日時に達した公開データ２４０について、公開承認フラグが記録されていない場合（ステップＳ３−３でＮＯの場合）、公開サーバ２０は、その公開データ２４０については、公開処理を行わない。
【００７６】
（停止処理）
次に、公開されている情報について、予め設定された停止日時に公開を停止する停止処理について、図６を用いて説明する。
【００７７】
図６に示すように、公開サーバ２０は、定期的に公開データ記憶部２４を検索し、停止
日時と現在日時とを照合する（ステップＳ４−１）。そして、現在時点で停止日時に達した公開データ２４０がある場合（ステップＳ４−２でＹＥＳの場合）、公開サーバ２０は、その公開データ２４０に基づいて、まず、一覧画面を更新する（ステップＳ４−３）。具体的には、公開サーバ２０は、まず、テンプレート名に基づいて、一覧画面に関するテンプレートデータをテンプレートデータ記憶部２３から抽出する。そして、テンプレート名と開始日時及び終了日時とに基づいて、一覧画面において公開対象となる公開データ２４０を公開データ記憶部２４から抽出する。そして、公開サーバ２０は、テンプレートと抽出した公開データ２４０の掲載情報とに基づいて一覧画面を生成し、この一覧画面のＨＴＭＬファイルによりＨＴＭＬファイル記憶部２２を更新する。ここでは、一覧画面（表示画面１００）のＨＴＭＬファイルを更新する。これにより、今回公開を停止するセミナー情報が一覧表示から削除された一覧画面のＨＴＭＬファイルによりＨＴＭＬファイル記憶部２２に記録されたＨＴＭＬファイルが更新される。
【００７８】
次に、公開サーバ２０は、情報提供画面を削除する（ステップＳ４−４）。公開サーバ２０は、ソートコード及びテンプレート名に基づいてＨＴＭＬファイルの格納場所及びファイル名を特定し、ＨＴＭＬファイル記憶部２２のＨＴＭＬファイルを特定する。そして、公開サーバ２０は、特定されたＨＴＭＬファイルを削除する。ここでは、ＨＴＭＬファイル記憶部２２に記録された概要画面（表示画面８０）及び申込画面（表示画面９０）のＨＴＭＬファイルを削除する。
【００７９】
（公開管理段階）
次に、公開する情報を管理するための公開管理画面を用いて公開管理処理を行う公開管理段階について、図１２を用いて説明する。公開する情報の管理は、本実施形態では、公開承認者が行うことができる。
【００８０】
公開承認者は、公開承認者端末３２により、テンプレート名及びパスワードを用いて公開サーバ２０にアクセスし、公開管理画面の表示要求を行う。公開承認者端末３２は、公開サーバ２０との間でユーザ認証処理を行い、認証された場合、公開管理画面を表示する。本実施形態では、セミナーに関して公開承認を行う公開承認者が、公開管理画面を用いてセミナーに関する公開管理を行う。公開管理画面の表示要求を受信した公開サーバ２０は、公開管理画面を公開承認者端末３２に送信する。
【００８１】
この公開管理画面を受信した公開承認者端末３２のディスプレイには、選択されたグループについての公開管理画面が表示される。ここでは、図１２に示す表示画面１１０が表示される。
【００８２】
この表示画面１１０には、表示中セミナー一覧１１１と非表示中セミナー一覧１１２とが表示される。また、この表示画面１１０には、一時保存呼出ボタン１１３、新規登録画面ボタン１１４、一覧プレビューボタン１１５及び公開ボタン１１６が表示される。
【００８３】
表示中セミナー一覧１１１には、表示中のセミナーについて、セミナー名、作成方法、ソートコード、開催、セミナー内容、編集及び会場についての表示欄が設けられている。セミナー名をクリックすると、表示画面８０が表示される。作成方法としては、表示画面６０において選択された作成方法が表示される。ソートコードは、公開データ２４０のソートコードが表示される。開催については、セミナーの開催日が表示される。セミナー内容については、「内容編集」及び「削除」の文字が表示されている。「内容編集」の文字をクリックすると、表示画面８０のセミナー内容表示欄８４についての入力画面が表示される。このセミナー内容表示欄８４についての入力画面において入力されたデータは、公開データ２４０の付属情報として公開データ記憶部２４に記録される。「削除」の文字をクリックすると、公開データ記憶部２４に記録したセミナー内容が削除される。
【００８４】
編集については、「登録内容修正」、「コピー」及び「非表示にする」の文字が表示されている。「登録内容修正」の文字をクリックすると、表示画面６０が表示され、当該セミナーについて、登録内容を更新できる。「コピー」の文字をクリックすると、表示画面６０が表示され、各入力ボックスには、公開データ２４０に基づいて表示されるが、ソートコード６１ｂ、日時６１ｆはブランクとなる。この表示画面６０を用いて、新規登録と同様の処理が行われる。「非表示にする」の文字をクリックすると、当該セミナーについての表示が非表示中セミナー一覧１１２に移動する。会場は、公開データ２４０の付属情報の開催場所に基づいて表示される。
【００８５】
非表示中セミナー一覧１１２には、非表示中のセミナーについて、セミナー名、作成方法、ソートコード、開催、セミナー内容、編集及び削除についての表示欄が設けられている。セミナー名をクリックすると、表示画面８０が表示される。作成方法としては、表示画面６０において選択された作成方法が表示される。ソートコードは、公開データ２４０のソートコードが表示される。開催については、セミナーの開催日が表示される。セミナー内容については、「内容編集」及び「削除」の文字が表示されている。「内容編集」の文字をクリックすると、表示画面８０のセミナー内容表示欄８４についての入力画面が表示される。「削除」の文字をクリックすると、記録したセミナー内容が削除される。
【００８６】
編集については、「登録内容修正」、「コピー」及び「表示にする」の文字が表示されている。「登録内容修正」の文字をクリックすると、表示画面６０が表示され、当該セミナーについて、登録内容を更新できる。「コピー」の文字をクリックすると、表示画面６０が表示され、各入力ボックスには、公開データ２４０に基づいて表示されるが、ソートコード６１ｂ、日時６１ｆはブランクとなる。この表示画面６０を用いて、新規登録と同様の処理が行われる。「表示にする」の文字をクリックすると、当該セミナーについての表示が表示中セミナー一覧１１１に移動する。削除欄の「削除」をクリックすると、当該セミナーについての公開データ２４０が削除される。
【００８７】
一時保存呼出ボタン１１３は、一時保存した公開データ２４０について追加して表示する場合に用いられる。新規登録画面ボタン１１４は、新規にセミナーを登録する場合に用いられる。この新規登録画面ボタン１１４をクリックすると、表示画面６０が表示される。一覧プレビューボタン１１５は、表示中セミナー一覧１１１に収容されたセミナーを表示対象とする表示画面１００を表示する場合に用いられる。公開ボタン１１６は、表示中セミナー一覧１１１に収容されたセミナーを公開対象として公開する場合に用いられる。
【００８８】
以上、本実施形態によれば、以下に示す効果を得ることができる。
・  上記実施形態では、公開サーバ２０の管理コンピュータ２１は、公開希望者端末３１から受信した掲載情報と公開日時に関するデータを含む公開データ２４０を公開データ記憶部２４に記録する。そして、管理コンピュータ２１は、公開時期に、その公開データ２４０の掲載情報とテンプレートとを用いてＨＴＭＬファイルを生成して、ＨＴＭＬファイル記憶部２２に記録する。このため、公開希望者が希望する公開時期に、ＨＴＭＬファイルを自動的に作成して、公開希望者が公開を希望する掲載情報を公開できる。
【００８９】
・  上記実施形態では、公開サーバ２０の管理コンピュータ２１は、ＨＴＭＬファイル記憶部２２に記録されたＨＴＭＬファイルを抽出し、そのＨＴＭＬファイルによるウェブページの一部を、新たに公開する掲載情報を追加することにより更新する。そして、そのウェブページに関連付けられたウェブページについてのＨＴＭＬファイルを、その掲載情報に基づいて生成する。このため、公開希望者が希望する公開時期に、公開中のウェブページについてのＨＴＭＬファイルを更新して公開するとともに、そのウェブページからリンクするウェブページについてのＨＴＭＬファイルを生成して公開できる。
【００９０】
・  上記実施形態では、公開サーバ２０の管理コンピュータ２１は、公開希望者端末３１から受信した公開の停止時期を公開データ記憶部２４に記録し、その停止時期に、その停止時期に当該公開データ２４０の掲載情報の公開を停止する。このため、公開の停止時期を予め設定しておき、その停止時期に自動的に公開を停止できる。
【００９１】
・  上記実施形態では、公開サーバ２０の管理コンピュータ２１は、予め設定した停止時期に、停止時期となった掲載情報の表示を削除することにより、ＨＴＭＬファイル記憶部２２に記録されたＨＴＭＬファイルによるウェブページを更新する。このため、予め設定した公開の停止時期に、公開中のウェブページから、公開を停止する掲載情報を削除することにより、そのウェブページについてのＨＴＭＬファイルを更新して、停止時期となった掲載情報の公開を停止できる。
【００９２】
・  上記実施形態では、公開サーバ２０の管理コンピュータ２１は、予め設定した停止時期に、停止時期となった掲載情報に関するウェブページについてのＨＴＭＬファイルをＨＴＭＬファイル記憶部２２から削除する。このため、停止時期を経過したウェブページについてのＨＴＭＬファイルを削除するため、利用者端末５０から閲覧できないようにすることができる。
【００９３】
・  上記実施形態では、公開サーバ２０の管理コンピュータ２１は、公開データ２４０の掲載情報とテンプレートとを用いてウェブページを作成して公開承認者端末３２に送信し、承認入力を促す。そして、承認された場合に、公開承認フラグを記録する。そして、公開承認フラグが記録されている場合に、掲載情報とテンプレートとを用いてウェブページＨＴＭＬファイルを生成してＨＴＭＬファイル記憶部２２に記録する。このため、公開承認者が承認した情報のみを公開できる。従って、誤った情報を公開するのを防ぐことができる。また、承認は、公開時期以前に行えるため、承認及び公開を効率的に行うことができる。
【００９４】
なお、上記実施形態は、以下の態様に変更してもよい。
○  上記実施形態では、ＨＴＭＬファイルを生成したが、これに限られるものではなく、ＨＴＭＬ言語以外のその他の言語を用いてウェブページを表示するためのファイルを生成してもよい。
【００９５】
○  上記実施形態では、新規のセミナー案内を公開する場合、概要画面（表示画面８０）及び申込画面（表示画面９０）を生成し、一覧画面（表示画面１００）を更新した。これに代えて、一覧画面の更新のみを行ってもよい。
【００９６】
○  上記実施形態では、概要画面（表示画面８０）は、新たに生成した申込画面（表示画面９０）と、既存の画面である地図表示とにリンクさせた。これに代えて、概要画面は、新たに生成した画面又は既存の画面のいずれかのみにリンクさせてもよい。また、概要画面からは、他の画面にリンクさせなくてもよい。
【００９７】
○  上記実施形態では、公開日時に、その時点で公開対象となっているセミナーに関する公開データ２４０を抽出して概要画面（表示画面８０）を生成し直した。これに代えて、ＨＴＭＬファイル記憶部２２に記録されているＨＴＭＬファイルを用いて、一覧表示に今回公開するセミナー情報を追加してもよい。
【００９８】
○  上記実施形態では、停止日時に、その時点で公開対象となっているセミナーに関する公開データ２４０を抽出して概要画面（表示画面８０）を生成し直すことにより、停止日時に達したセミナー情報を一覧画面から削除した。これに代えて、ＨＴＭＬファイル記
憶部２２に記録されているＨＴＭＬファイルを用いて、一覧表示から、停止日時となったセミナー情報を削除してもよい。
【００９９】
○  上記実施形態では、一覧画面（表示画面１００）は、新たに生成した申込画面（表示画面９０）と既存の画面である地図表示とにリンクさせた。これに限らず、一覧画面は、新たに生成した画面や既存の画面にリンクさせてもよい。
【０１００】
○  上記実施形態では、公開サーバ２０をウェブページを公開する企業内で管理したが、独立した事業者が公開サーバ２０を管理してもよい。このようにすることで、ウェブページの公開を希望する者が、独自に公開サーバ２０を用意する必要がなくなる。
【図面の簡単な説明】
【０１０１】
【図１】本発明の一実施形態のシステム概略図。
【図２】公開データ記憶部に記憶されたデータの説明図。
【図３】本発明の一実施形態の処理手順の説明図。
【図４】本発明の一実施形態の処理手順の説明図。
【図５】本発明の一実施形態の処理手順の説明図。
【図６】本発明の一実施形態の処理手順の説明図。
【図７】表示画面の説明図。
【図８】表示画面の説明図。
【図９】表示画面の説明図。
【図１０】表示画面の説明図。
【図１１】表示画面の説明図。
【図１２】表示画面の説明図。
【符号の説明】
【０１０２】
２０…公開サーバ、２１…管理コンピュータ、３１…公開希望者端末、３２…公開承認者端末、５０…利用者端末。
【図１】
2005182160.tif 000003
【図２】
2005182160.tif 000004
【図３】
2005182160.tif 000005
【図４】
2005182160.tif 000006
【図５】
2005182160.tif 000007
【図６】
2005182160.tif 000008
【図７】
2005182160.tif 000009
【図８】
2005182160.tif 000010
【図９】
2005182160.tif 000011
【図１０】
2005182160.tif 000012
【図１１】
2005182160.tif 000013
【図１２】
2005182160.tif 000014